(57)【要約】【課題】  ＰＣと比較して性能の低い携帯端末であっても、所望するウェブページの情報を表示すると共に、当該ウェブページの表示制御情報に基づいた処理を行うことができることを課題とする。【解決手段】  情報転送サーバ２０が、携帯端末１０から受信したアドレスに対応するウェブページを外部のウェブサーバ３０から受信して、当該ウェブページをウェブブラウザに表示し、記憶手段から読み出した所定の関数の係数に応じた拡大縮小率でウェブブラウザの画面を変換した画像ファイルを携帯端末１０に送信する。そして、情報転送サーバ２０は、携帯端末１０から画像における位置情報とイベント情報とを受信し、所定の関数に基づいて当該画像における位置情報に関連付けられたウェブブラウザにおける位置情報を取得し、当該位置情報に対応する位置で、前記受信したイベント情報に対応するイベントを発行する。【選択図】  図１
2006155333.tif 000002
【特許請求の範囲】
【請求項１】
ウェブページの情報を表示する携帯端末と、外部のウェブサーバから受信したウェブページの情報を前記携帯端末に転送する情報転送サーバとが通信ネットワークに接続された情報閲覧システムにおいて、
前記情報転送サーバの記憶手段に、
ウェブブラウザのプログラムと、前記ウェブブラウザの画面を画像ファイルに変換する際に当該画像ファイルに基づく画像における位置情報と前記ウェブブラウザにおける位置情報とを関連付ける所定の関数とを格納すると共に、
前記携帯端末が、
当該携帯端末の入力手段から所望するウェブページのアドレスを受付けて、当該受付けたアドレスを前記情報転送サーバに送信するステップを実行し、
前記情報転送サーバが、
前記携帯端末から前記アドレスを受信して、当該受信したアドレスと共に当該アドレスに対応するウェブページの取得処理の実行要求を前記ウェブブラウザに入力するステップと、前記ウェブブラウザを介して、前記アドレスに対応するウェブページの取得要求を、前記外部のウェブサーバに送信すると共に、前記外部のウェブサーバから前記取得要求したウェブページを受信して、当該受信したウェブページを前記ウェブブラウザに表示するステップと、前記記憶手段から所定の関数を読み出すステップと、当該読み出した所定の関数の係数に応じた拡大縮小率で、前記ウェブページを表示したウェブブラウザの画面を画像ファイルに変換し、当該変換した画像ファイルを前記携帯端末に送信するステップと、を実行し、
前記携帯端末が、
前記画像ファイルを受信して当該画像ファイルに基づく画像を表示すると共に、当該携帯端末の入力手段から当該画像における位置情報と、当該位置情報に対応する位置において発生した事象を識別するイベント情報とを受付けて、当該位置情報と、イベント情報とを前記情報転送サーバに送信するステップを実行し、
前記情報転送サーバが、
前記携帯端末から前記画像における位置情報とイベント情報とを受信し、前記読み出した所定の関数に基づいて当該画像における位置情報に関連付けられたウェブブラウザにおける位置情報を取得するステップと、当該取得したウェブブラウザにおける位置情報に対応する位置で、前記受信したイベント情報に対応するイベントを発行するステップと、前記イベントを検知した場合に、当該検知したイベントに応じた処理を行うステップと、を実行することを特徴とした情報閲覧システム。
【請求項２】
外部のウェブサーバから受信したウェブページの情報を外部の携帯端末に転送する情報転送サーバにおいて、
前記情報転送サーバが、記憶手段、通信手段、及びこれら各手段の動作を制御する処理手段を備えると共に、
前記記憶手段に、
ウェブブラウザのプログラムと、前記ウェブブラウザの画面を画像ファイルに変換する際に当該画像ファイルに基づく画像における位置情報と前記ウェブブラウザにおける位置情報とを関連付ける所定の関数とを格納し、
前記処理手段が、
ａ）前記通信手段を介して前記外部の携帯端末から所望するウェブページのアドレスを受信して、当該受信したアドレスと共に当該アドレスに対応するウェブページの取得処理の実行要求を前記ウェブブラウザに入力するステップと、
ｂ）前記ウェブブラウザ及び前記通信手段を介して、前記アドレスに対応するウェブページの取得要求を、前記外部のウェブサーバに送信すると共に、前記外部のウェブサーバから前記取得要求したウェブページを受信して、当該受信したウェブページを前記ウェブブラウザに表示するステップと、
ｃ）前記記憶手段から所定の関数を読み出すステップと、
ｄ）当該読み出した所定の関数の係数に応じた拡大縮小率で、前記ウェブページを表示したウェブブラウザの画面を画像ファイルに変換し、前記通信手段を介して当該変換した画像ファイルを前記携帯端末に送信するステップと、
ｅ）前記通信手段を介して前記携帯端末から、前記画像における位置情報と、イベント情報とを受信し、前記読み出した所定の関数に基づいて当該画像における位置情報に関連付けられたウェブブラウザにおける位置情報を取得するステップと、
ｆ）当該取得したウェブブラウザにおける位置情報に対応する位置で、前記受信したイベント情報に対応するイベントを発行するステップと、
ｇ）前記イベントを検知した場合に、当該検知したイベントに応じた処理を行うステップと、
を実行することを特徴とした情報転送サーバ。
【請求項３】
請求項２記載の情報転送サーバに用いられる情報転送プログラムであって、
前記処理手段に、
ａ）前記通信手段を介して前記外部の携帯端末から所望するウェブページのアドレスを受信して、当該受信したアドレスと共に当該アドレスに対応するウェブページの取得処理の実行要求を前記ウェブブラウザに入力するステップと、
ｂ）前記記憶手段から所定の関数を読み出すステップと、
ｃ）当該読み出した所定の関数の係数に応じた拡大縮小率で、前記ウェブページを表示したウェブブラウザの画面を画像ファイルに変換し、前記通信手段を介して当該変換した画像ファイルを前記携帯端末に送信するステップと、
ｄ）前記通信手段を介して前記携帯端末から、前記画像における位置情報と、イベント情報とを受信し、前記読み出した所定の関数に基づいて当該画像における位置情報に関連付けられたウェブブラウザにおける位置情報を取得するステップと、
ｅ）当該取得したウェブブラウザにおける位置情報に対応する位置で、前記受信したイベント情報に対応するイベントを発行するステップと、
を実行させることを特徴とした情報転送プログラム。
【請求項４】
請求項１記載の携帯端末において、
前記携帯端末が、記憶手段、入力手段、表示手段、通信手段、及びこれら各手段の動作を制御する処理手段を備えると共に、
前記処理手段が、
ａ）前記入力手段から所望するウェブページのアドレスを受付けて、当該受付けたアドレスを、前記通信手段を介して前記情報転送サーバに送信するステップと、
ｂ）前記通信手段を介して、前記情報転送サーバから前記アドレスに対応するウェブページを表示したウェブブラウザの画面の画像ファイルを受信するステップと、
ｃ）当該受信した画像ファイルに基づく画像を前記表示手段に表示すると共に、前記入力手段から当該画像における位置情報と、当該位置情報に対応する位置において発生した事象を識別するイベント情報とを受付けて、当該位置情報とイベント情報とを、前記通信手段を介して前記情報転送サーバに送信するステップと、
を実行することを特徴とした携帯端末。
【請求項５】
請求項４記載の携帯端末に用いられる携帯端末プログラムであって、
前記処理手段に、
ａ）前記入力手段から所望するウェブページのアドレスを受付けて、当該受付けたアドレスを、前記通信手段を介して前記情報転送サーバに送信するステップと、
ｂ）前記通信手段を介して、前記情報転送サーバから前記アドレスに対応するウェブページを表示したウェブブラウザの画面の画像ファイルを受信するステップと、
ｃ）当該受信した画像ファイルに基づく画像を前記表示手段に表示すると共に、前記入力手段から当該画像における位置情報と、当該位置情報に対応する位置において発生した事象を識別するイベント情報とを受付けて、当該位置情報とイベント情報とを、前記通信手段を介して前記情報転送サーバに送信するステップと、
を実行させることを特徴とした携帯端末プログラム。
【発明の詳細な説明】
【技術分野】
【０００１】
本発明は、ＰＣ（Ｐｅｒｓｏｎａｌ  Ｃｏｍｐｕｔｅｒ）と比較して性能の低い携帯端末であっても、所望するウェブページを閲覧することができる情報閲覧システムに関する。
【背景技術】
【０００２】
従来、携帯電話等の携帯端末は、外部のウェブサーバにアクセスして、所望のウェブページを表示するために、ＰＣで利用される汎用的なウェブブラウザではなく、当該携帯端末専用のウェブブラウザを実装していた。携帯端末は、ＰＣと比較して性能が低いので、ＰＣで利用される汎用的なウェブブラウザを実行することができず、機能を制限した専用のウェブブラウザを実装する必要があったからである。
【０００３】
これに関して、携帯端末が、特別なソフトウェアを搭載しなくても、電子メールの添付資料、更にはウェブページを表示できる情報転送装置が開示されている（例えば、特許文献１）。
【０００４】
当該情報転送装置は、外部のウェブサーバからページ情報を受信すること、受信したページ情報の形式を所定の形式に変換すること、上記所定の形式のページ情報を携帯端末に向けて送信すること等を特徴としている。ここで、上記ページ情報の形式を所定の形式に変換する例として、ウェブページ（ＨＴＭＬ）を画像ファイルに変換して携帯端末に送信する例が特許文献１に記載されている。
【０００５】
しかし、上記携帯端末は、情報転送装置からウェブページの画像ファイルを受信して表示するのみであり、所望するウェブページの情報を表示すると共に、当該ウェブページの表示制御情報に基づいた処理を行うことができなかった。例えば、上記携帯端末は、表示されたウェブページのリンクがクリック等された場合に、リンク先のウェブページを表示することができなかった。
【特許文献１】特開２００１−５３７８６号公報
【発明の開示】
【発明が解決しようとする課題】
【０００６】
本発明は、かかる従来例の有する不都合を改善し、特に、ＰＣと比較して性能の低い携帯端末であっても、所望するウェブページの情報を表示すると共に、当該ウェブページの表示制御情報に基づいた処理を行うことができることを課題とする。
【課題を解決するための手段】
【０００７】
上記課題を解決するため、本発明では次のような構成を採っている。
【０００８】
本発明は、ウェブページの情報を表示する携帯端末と、外部のウェブサーバから受信したウェブページの情報を上記携帯端末に転送する情報転送サーバとが通信ネットワークに接続された情報閲覧システムである。そして、上記情報転送サーバの記憶手段に、ウェブブラウザのプログラムと、上記ウェブブラウザの画面を画像ファイルに変換する際に当該画像ファイルに基づく画像における位置情報と上記ウェブブラウザにおける位置情報とを関連付ける所定の関数とを格納している。
【０００９】
携帯端末は、当該携帯端末の入力手段から所望するウェブページのアドレスを受付けて、当該受付けたアドレスを上記情報転送サーバに送信する。
【００１０】
次に、情報転送サーバが、上記携帯端末から上記アドレスを受信して、当該受信したアドレスと共に当該アドレスに対応するウェブページの取得処理の実行要求を上記ウェブブラウザに入力する。続いて、情報転送サーバが、上記ウェブブラウザを介して、上記アドレスに対応するウェブページの取得要求を、外部のウェブサーバに送信すると共に、上記外部のウェブサーバから上記取得要求したウェブページを受信して、当該受信したウェブページを上記ウェブブラウザに表示する。そして、情報転送サーバが、上記記憶手段から所定の関数を読み出し、当該読み出した所定の関数の係数に応じた拡大縮小率で、上記ウェブページを表示したウェブブラウザの画面を画像ファイルに変換し、当該変換した画像ファイルを上記携帯端末に送信する。
【００１１】
次に、携帯端末が、上記画像ファイルを受信して当該画像ファイルに基づく画像を表示すると共に、当該携帯端末の入力手段から当該画像における位置情報と、当該位置情報に対応する位置において発生した事象を識別するイベント情報とを受付けて、当該位置情報と、イベント情報とを上記情報転送サーバに送信する。
【００１２】
次に、情報転送サーバが、上記携帯端末から上記画像における位置情報とイベント情報とを受信し、上記読み出した所定の関数に基づいて当該画像における位置情報に関連付けられたウェブブラウザにおける位置情報を取得する。続いて、情報転送サーバが、当該取得したウェブブラウザにおける位置情報に対応する位置で、上記受信したイベント情報に対応するイベントを発行する。そして、情報転送サーバが、上記イベントを検知した場合に、当該検知したイベントに応じた処理を行う。
【００１３】
ここで、携帯端末は、移動中、あるいは外出先で使用できる携帯可能なコンピュータであり、インターネット接続可能な携帯電話、ＰＤＡ（Ｐｅｒｓｏｎａｌ  Ｄｉｇｉｔａｌ  Ａｓｓｉｓｔａｎｃｅ）などが該当する。また、情報転送サーバは、一般的なコンピュータである。
【発明の効果】
【００１４】
情報転送サーバの処理手段が、ウェブブラウザの画面を画像ファイルに変換して端末装置に送信し、携帯端末から受信した画像における位置情報とイベント情報に基づいてウェブブラウザの機能を実行するので、ＰＣと比較して性能の低い携帯端末であっても、所望するウェブページの情報を表示すると共に、当該ウェブページの表示制御情報に基づいた処理を行うことができる。
【発明を実施するための最良の形態】
【００１５】
以下、図面を参照しながら、本発明の実施形態について説明する。
【００１６】
図１は、本実施形態の情報閲覧システム４０の全体構成を示すブロック図である。
【００１７】
携帯端末１０と、情報転送サーバ２０とを備えた情報閲覧システム４０が、通信ネットワークとしてのインターネット５０に接続されている。また、第三者が設置した外部のウェブサーバ３０がインターネット５０に接続されている。ここで、図１では、１台の携帯端末１０のみがインターネット５０に接続されているが、複数台の携帯端末１０がインターネット５０に接続されていてもよい。また、携帯端末１０、情報転送サーバ２０及び外部のウェブサーバ３０と、インターネット５０との接続は有線であるか無線であるかを問わない。
【００１８】
携帯端末１０は、情報転送サーバ２０から受信した画像ファイルを表示するようになっている。また、情報転送サーバ２０は、外部のウェブサーバ３０から受信したウェブページを表示したウェブブラウザの画面を画像ファイルに変換して、上記携帯端末１０に送信するようになっている。詳細については後述する。
【００１９】
図２は、情報転送サーバ２０の構成図である。
【００２０】
処理手段としてのＣＰＵ２２、記憶手段としてのＲＡＭ２３、ＲＯＭ２４、及びＨＤＤ２６（Ｈａｒｄ  Ｄｉｓｋ  Ｄｒｉｖｅ）、並びに通信手段としてのＮＩＣ２５（Ｎｅｔｗｏｒｋ  Ｉｎｔｅｒｆａｃｅ  Ｃａｒｄ）が、バス２１に接続されている。ＨＤＤ２６には、一般的なウェブブラウザのプログラムと、情報転送プログラムと、位置情報変換ファイルとが記憶されている。情報転送サーバ２０の処理手段は、情報転送プログラムを実行することにより、外部のウェブサーバ３０から受信したウェブページを画像ファイルに変換して、上記携帯端末１０に送信する等の処理を行う。位置情報変換ファイルは、位置情報を変換するための情報を格納しているが、詳細については後述する。
【００２１】
一方、図示していないが、携帯端末１０は、ＣＰＵ等の処理手段、ＲＡＭ等の記憶手段、操作ボタン等の入力手段、ディスプレイ等の表示手段及びＮＩＣ、アンテナ等の通信手段を備えた一般的な構成を採用している。ここで、記憶手段には、所定の携帯端末プログラムが記憶されている。当該携帯端末１０の処理手段は、当該携帯端末プログラムを実行することにより、情報転送サーバ２０から受信した画像ファイルを表示する等の処理を行う。本実施形態では、携帯端末１０として、インターネット接続可能な携帯電話を採用している。
【００２２】
図３は、位置情報変換ファイルの構造図である。
【００２３】
位置情報変換ファイルは、画像ファイルに基づいて表示される画像における位置情報と、情報転送サーバ２０のウェブブラウザの画面における位置情報とを関連付けて格納している。具体的には、位置情報変換ファイルは、ウェブブラウザの画面を画像ファイルに変換する際に使用される拡大縮小率と、所定の関数とを格納している。そして、画像ファイルに基づいて表示される画像における位置情報としての座標（Ｘ'，Ｙ'）と、ウェブブラウザの画面における位置情報としての座標（Ｘ，Ｙ）とが、上記拡大縮小率と、所定の関数とによって関連付けられている。これにより、画像ファイルに基づいて表示される画像における位置情報と、ウェブブラウザの画面における位置情報とを相互に変換することができる。図３では、所定の関数として、Ｘ'＝ｃ＊Ｘ，Ｙ'＝ｃ＊Ｙを採用している。例えば、ｃ＝１／１００の場合には、ウェブブラウザの画面における位置情報としての座標（Ｘ，Ｙ）＝（９０，１００）に対して、画像ファイルに基づいて表示される画像における位置情報としての座標（Ｘ'，Ｙ'）＝（０．９，１）が関連付けられる。ここで、情報転送サーバ２０の処理手段が、携帯端末１０から上記拡大縮小率を受信して、位置情報変換ファイルに格納された拡大縮小率を、当該受信した拡大縮小率で書き換えてもよい。また、本実施形態では、上記拡大縮小率と、所定の関数とを分離して位置情報変換ファイルに格納しているが、当該拡大縮小率は所定の関数の係数であるから、当該係数を含む所定の関数のみを位置情報変換ファイルに格納してもよい。
【００２４】
次に、本実施形態の情報閲覧システム４０の動作について説明する。
【００２５】
図４は、携帯端末１０、情報転送サーバ２０及び外部のウェブサーバ３０のフローチャートである。
【００２６】
次のステップＳ１０からＳ１５までの処理は、携帯端末１０の処理手段が実行する携帯端末プログラムのプロセスにより実装されている。
【００２７】
携帯端末１０の処理手段は、入力手段から所望するウェブページのアドレスとしてのＵＲＬ（Ｕｎｉｆｏｒｍ  Ｒｅｓｏｕｒｃｅ  Ｌｏｃａｔｏｒ）を受付ける（Ｓ１０）。そして、携帯端末１０の処理手段は、入力手段としての所定の操作ボタン等が押下されたことを契機として、当該受付けたＵＲＬを情報転送サーバ２０に送信する（Ｓ１５）。
【００２８】
次のステップＳ２０の処理は、情報転送サーバ２０の処理手段が実行する情報転送プログラムのプロセスにより実装されている。
【００２９】
情報転送サーバ２０の処理手段は、携帯端末１０からＵＲＬを受信して、当該受信したＵＲＬと共に、当該ＵＲＬに対応するウェブページの取得処理の実行要求をウェブブラウザに入力する（Ｓ２０）。
【００３０】
次のステップＳ２５からＳ３２までの処理は、情報転送サーバ２０の処理手段が実行するウェブブラウザのプログラムのプロセスにより実装されている。
【００３１】
情報転送サーバ２０の処理手段は、上記ＵＲＬに対応するウェブページの取得要求を、ウェブブラウザを介して外部のウェブサーバ３０に送信する（Ｓ２５）。続いて、情報転送サーバ２０の処理手段は、上記外部のウェブサーバ３０から当該取得要求したウェブページを受信する（Ｓ３０）。そして、情報転送サーバ２０の処理手段は、当該受信したウェブページをウェブブラウザに内部的に表示する（Ｓ３２）。ここで、ウェブページをウェブブラウザに内部的に表示するとは、ウェブページをウェブブラウザにロードすることをいう。したがって、情報転送サーバの処理手段が、上記受信したウェブページを視覚的に認識し得る態様でウェブブラウザに表示するか否かを問わない。特に、本実施形態の情報転送サーバ２０は表示手段を備えていないので、ユーザは、上記ウェブページが表示されたウェブブラウザを視覚的に認識することはできない。
【００３２】
次のステップＳ３５からＳ４５までの処理は、情報転送サーバ２０の処理手段が実行する情報転送プログラムのプロセスにより実装されている。
【００３３】
情報転送サーバ２０の処理手段は、位置情報変換ファイルを参照して、画像ファイルの拡大縮小率としてのｃ＝１／１００を読み出す（Ｓ３５）。そして、情報転送サーバ２０の処理手段は、当該読み出した拡大縮小率で上記受信したウェブページを表示したウェブブラウザの画面を、画像ファイルに変換する（Ｓ４０）。続いて、情報転送サーバ２０の処理手段は、当該変換した画像ファイルを携帯端末１０に送信する（Ｓ４５）。ここで、画像ファイルは、携帯端末１０で表示できるものであれば良く、本実施携帯では一般的に携帯端末１０で表示可能なＪＰＧファイルを採用している。
【００３４】
次のステップＳ５０からＳ６０までの処理は、携帯端末１０の処理手段が実行する携帯端末プログラムのプロセスにより実装されている。
【００３５】
携帯端末１０の処理手段は、情報転送サーバ２０から画像ファイルを受信して、当該画像ファイルに基づいて表示される画像を表示手段に表示する（Ｓ５０）。これにより、携帯端末１０の表示手段には、情報転送サーバ２０のウェブブラウザの画面が表示される。続いて、携帯端末１０の処理手段は、入力手段から当該画像ファイルに基づいて表示される画像における位置情報と、当該位置情報に対応する位置において発生した事象を識別するイベント情報とを受付ける（Ｓ５５）。イベント情報としては、例えば、クリック、テキストの入力等が該当する。本実施形態では、携帯端末１０の処理手段は、入力手段としての操作ボタンにより移動可能なポインタを表示手段としてのディスプレイに表示して、上記位置情報と、イベント情報を受付けている。続いて、携帯端末１０の処理手段は、当該受付けた画像ファイルに基づいて表示される画像における位置情報と、イベント情報とを情報転送サーバ２０に送信する（Ｓ６０）。
【００３６】
次のステップＳ６５からＳ８０までの処理は、情報転送サーバ２０の処理手段が実行する情報転送プログラムのプロセスにより実装されている。
【００３７】
情報転送サーバ２０の処理手段は、携帯端末１０から画像ファイルに基づいて表示される画像における位置情報と、イベント情報とを受信する。続いて、情報転送サーバ２０の処理手段は、位置情報変換ファイルを参照して、所定の関数としてのＸ'＝ｃ＊Ｘ，Ｙ'＝ｃ＊Ｙを読み出す（Ｓ６５）。そして、情報転送サーバ２０の処理手段は、ステップＳ５５で読み出した拡大縮小率としてのｃ＝１／１００と、ステップＳ６５で読み出した所定の関数とに基づいて、上記受信した画像ファイルに基づいて表示される画像における位置情報に関連付けられたウェブブラウザの画面における位置情報を取得する（Ｓ７０）。本実施形態では、情報提供サーバの処理手段は、上記拡大縮小率と上記所定の関数とに基づいて、画像ファイルに基づいて表示される画像における位置情報としての座標（Ｘ'，Ｙ'）に関連付けられたウェブブラウザの画面における位置情報としての座標（Ｘ，Ｙ）＝（１００＊Ｘ'，  １００＊Ｙ'）を取得することができる。
【００３８】
続いて、情報転送サーバ２０の処理手段は、取得したウェブブラウザの画面における位置情報に対応する座標（Ｘ，Ｙ）で、上記携帯端末１０から受信したイベント情報に対応するイベントを発行する（Ｓ７５）。
【００３９】
次のステップＳ８０の処理は、情報転送サーバ２０の処理手段が実行するウェブブラウザのプログラムのプロセスにより実装されている。
【００４０】
情報転送サーバ２０の処理手段は、上記イベントを検知した場合に、所定の処理を行う（Ｓ８０）。例えば、ウェブブラウザの画面における位置情報としての座標（Ｘ，Ｙ）に他のウェブページへのリンクがあり、上記携帯端末１０から受信したイベント情報がクリックである場合には、情報転送サーバ２０の処理手段は、ウェブページの表示制御情報（ＨＴＭＬ）に基づいて、上記リンクに対応するウェブページの取得要求を、外部のウェブサーバ３０に送信する。その後の処理についてはステップＳ２５以降と同じである。
【００４１】
以上により、情報転送サーバ２０が、ウェブブラウザの画面を画像ファイルに変換して端末装置に送信し、携帯端末１０から受信した画像における位置情報とイベント情報に基づいてウェブブラウザの機能を実行する。これにより、ＰＣと比較して性能の低い携帯端末１０であっても、所望するウェブページの情報を表示すると共に、当該ウェブページの表示制御情報に基づいた処理を行うことができる。
【００４２】
また、画像ファイルを表示できる否かは携帯端末１０の機種に依存することが少ないので、携帯端末１０は、所望するウェブページの表示制御情報を記述する言語（例えば、ＨＴＭＬ，  Ｃｏｍｐａｃｔ  ＨＴＭＬ等）によらず、当該ウェブページの情報を表示することができる。
【００４３】
さらに、携帯端末１０は、情報転送サーバ２０から受信した画像ファイルに基づいて情報転送サーバ２０のウェブブラウザの画面を表示するので、ＰＣでの閲覧を前提としたウェブページの情報を表示することができる。
【図面の簡単な説明】
【００４４】
【図１】情報閲覧システムの全体構成を示すブロック図である。
【図２】情報転送サーバの構成図である。
【図３】位置情報変換ファイルの構造図である。
【図４】携帯端末、情報転送サーバ及び外部のウェブサーバのフローチャートである。
【符号の説明】
【００４５】
１０  携帯端末
２０  情報転送サーバ
２１  バス
２２  ＣＰＵ（処理手段）
２３  ＲＡＭ（記憶手段）
２４  ＲＯＭ（記憶手段）
２５  ＮＩＣ（通信手段）
２６  ＨＤＤ（記憶手段）
３０  外部のウェブサーバ
４０  情報閲覧システム
５０  インターネット（通信ネットワーク）
【図１】
2006155333.tif 000003
【図２】
2006155333.tif 000004
【図３】
2006155333.tif 000005
【図４】
2006155333.tif 000006